(57)【要約】【課題】運転者が行なう操作内容の、同乗者が行なう車載情報機器の操作への反映度合いを向上させることが可能な、車両用走行支援情報表示装置を提供する。【解決手段】画像情報出力部３０がマスタ側表示部１０に複数の操作メニューを表示させるマスタ側表示情報信号を出力し、さらに、マスタ側操作内容判定部１８がマスタ側表示部１０に表示した複数の操作メニューから少なくとも一つを選択したマスタ側操作内容を判定すると、表示処理部３２が、運転者が選択した操作メニューに関連する関連メニューの少なくとも一部を、スレーブ側表示部１４における画像の表示を継続させた状態で、スレーブ側表示部１４の一部に表示する。【選択図】図１
2014035289.tif 000002
【特許請求の範囲】
【請求項１】
車両の運転者が視認可能であり且つ入力されたマスタ側表示情報信号に基づく画像を表示する表示部であるマスタ側表示部と、
前記車両の同乗者が視認可能であり且つ入力されたスレーブ側表示情報信号に基づく画像を表示する表示部であるスレーブ側表示部と、
前記マスタ側表示部に表示する画像に対する指示操作が可能なマスタ側操作部と、
前記スレーブ側表示部に表示する画像に対する指示操作が可能なスレーブ側操作部と、
前記マスタ側操作部の操作を検出し、当該検出した操作の内容であるマスタ側操作内容を判定するマスタ側操作内容判定部と、
前記スレーブ側操作部の操作を検出し、当該検出した操作の内容であるスレーブ側操作内容を判定するスレーブ側操作内容判定部と、
前記マスタ側操作内容判定部が判定したマスタ側操作内容及び前記スレーブ側操作内容判定部が判定したスレーブ側操作内容のうち少なくとも一方に基づき、前記マスタ側表示情報信号及び前記スレーブ側表示情報信号のうち少なくとも一方を出力する画像情報出力部と、
前記画像情報出力部が前記マスタ側表示部に複数の操作メニューを表示させる前記マスタ側表示情報信号を出力し、さらに、前記マスタ側操作内容判定部が前記マスタ側表示部に表示した複数の操作メニューから少なくとも一つを選択した前記マスタ側操作内容を判定すると、前記選択した操作メニューに関連する関連メニューの少なくとも一部を、前記スレーブ側表示部における画像の表示を継続させた状態でスレーブ側表示部の一部に表示する表示処理部と、を備えることを特徴とする車両用走行支援情報表示装置。
【請求項２】
前記車両が走行しているか否かを判定する走行状態判定部を備え、
前記画像情報出力部は、前記走行状態判定部により前記車両が走行していると判定すると、前記マスタ側表示部に表示した複数の操作メニューを前記運転者による操作を受け付けない状態とした前記マスタ側表示情報信号を出力し、
前記表示処理部は、前記運転者による操作を受け付けない状態とした複数の操作メニューの少なくとも一部をスレーブ側表示部の一部に表示することを特徴とする請求項１に記載した車両用走行支援情報表示装置。
【請求項３】
前記表示処理部は、前記画像情報出力部が出力した前記スレーブ側表示情報信号に応じて、前記関連メニューを示す画像の前記スレーブ側表示部の一部への表示方法を変更することを特徴とする請求項１または請求項２に記載した車両用走行支援情報表示装置。
【請求項４】
前記表示処理部は、前記画像情報出力部が前記スレーブ側表示部に複数の操作メニューを表示させる前記スレーブ側表示情報信号を出力すると、前記スレーブ側表示部に表示させた複数の操作メニューの一部を示す画像の表示を継続させた状態で、前記関連メニューの一部を示す画像を前記スレーブ側表示部の一部に表示することを特徴とする請求項３に記載した車両用走行支援情報表示装置。
【請求項５】
前記表示処理部は、前記画像情報出力部が前記スレーブ側表示部に選択肢を設定しない画像を表示させる前記スレーブ側表示情報信号を出力すると、前記スレーブ側表示部に表示させた複数の操作メニューの一部を示す画像の表示を継続させた状態で、前記関連メニューを縮小した画像を前記スレーブ側表示部の一部に表示することを特徴とする請求項３または請求項４に記載した車両用走行支援情報表示装置。
【請求項６】
前記スレーブ側表示部と、前記スレーブ側操作部と、を有するスレーブ側端末を備え、
前記スレーブ側端末は、移動通信端末であることを特徴とする請求項１から請求項５のうちいずれか１項に記載した車両用走行支援情報表示装置。
【発明の詳細な説明】
【技術分野】
【０００１】
本発明は、目的地への経路案内表示等、車両の走行を支援するための情報を運転者に表示する車両用走行支援情報表示装置に関する。
【背景技術】
【０００２】
一般的なカーナビゲーション（Ａｕｔｏｍｏｔｉｖｅ  ｎａｖｉｇａｔｉｏｎ  ｓｙｓｔｅｍ）等の車載情報機器では、運転者の運転操作に及ぼす影響を考慮して、操作負荷の少ない画面設計を行なう場合がある。しかしながら、車両に同乗者が乗車している場合は、同乗者が車載情報機器の操作を行うことが好適である。目的地への経路案内設定等、車載情報機器の操作を同乗者が行なうことが可能な技術としては、例えば、特許文献１に記載されている技術がある。
【０００３】
特許文献１に記載されている技術では、車両に、前席用ディスプレイと後席用ディスプレイを備えている。そして、前席用及び後席用のディスプレイにナビゲーション情報（経路案内情報）を表示させる場合に、車両の走行中において、同乗者（後席に着座した後席同乗者）による車載情報機器の操作を可能としている。
【先行技術文献】
【特許文献】
【０００４】
【特許文献１】特開２００２‐２４３４８３号公報
【発明の概要】
【発明が解決しようとする課題】
【０００５】
しかしながら、特許文献１に記載されている技術では、同乗者が車載情報機器の操作を行う際に、目的とする操作の内容を、運転者から口頭で聞く、または、同乗者が推測して行うこととなる。このため、運転者から操作を受け継ぐ際に、同乗者が正確な情報を得ることが困難であり、同乗者が行なう車載情報機器の操作に対し、運転者が行なう操作内容の反映度合いが低下するという問題が発生するおそれがある。
本発明は、上記のような問題点に着目してなされたもので、運転者が行なう操作内容の、同乗者が行なう車載情報機器の操作への反映度合いを向上させることが可能な、車両用走行支援情報表示装置を提供することを目的とする。
【課題を解決するための手段】
【０００６】
上記課題を解決するために、本発明は、複数の操作メニューから選択した少なくとも一つの操作メニューに関連する関連メニューの少なくとも一部を、スレーブ側表示部における画像の表示を継続させた状態で、スレーブ側表示部の一部に表示する。ここで、関連メニューの少なくとも一部を表示する処理は、マスタ側表示部に表示した複数の操作メニューの画像に対し、少なくとも一つの操作メニューを選択した指示操作の操作内容を判定すると行なう。
【発明の効果】
【０００７】
本発明によれば、運転者が視認可能なマスタ側表示部に表示する画像に対する指示操作に対し、同乗者が視認可能なスレーブ側表示部に表示する画像に対する指示操作への反映度合いを向上させることが可能となる。これにより、運転者が行なう操作内容の、同乗者が行なう車載情報機器の操作への反映度合いを向上させることが可能となる。
【図面の簡単な説明】
【０００８】
【図１】本発明の第一実施形態の車両用走行支援情報表示装置の概略構成を示すブロック図である。
【図２】車速検出部で検出した車速を参照せずに行なう割り込み表示に関する処理の一例を行う際のフローチャートである。
【図３】車速検出部で検出した車速を参照して行なう割り込み表示に関する処理の一例を行う際のフローチャートである。
【図４】車速を参照せずに割り込み表示を行なう際の、画面遷移イメージの具体例を示す図である。
【図５】車速を参照して割り込み表示を行なう際の、画面遷移イメージの具体例を示す図である。
【発明を実施するための形態】
【０００９】
以下、本発明の実施形態について、図面を参照しつつ説明する。
（第一実施形態）
以下、本発明の第一実施形態（以下、本実施形態と記載する）について、図面を参照しつつ説明する。
（構成）
図１は、本実施形態の車両用走行支援情報表示装置１の概略構成を示すブロック図である。なお、本実施形態では、車両用走行支援情報表示装置１を備える車両が車載する車載情報機器を、カーナビゲーションとした場合について説明する。
【００１０】
図１中に示すように、車両用走行支援情報表示装置１は、車速検出部２と、マスタ側端末４と、スレーブ側端末６と、ナビ本体部８を備える。
車速検出部２は、例えば、車両（自車両）の車速を検出するセンサである車速センサを用いて形成する。
また、車速検出部２は、車速センサが検出した車速を含む情報信号（以降の説明では、「車速信号」と記載する場合がある）を、ナビ本体部８へ出力する。
【００１１】
マスタ側端末４は、例えば、タッチパネル機能を有するディスプレイを用いて形成する。なお、本実施形態では、マスタ側端末４を、車載機器により構成する。
また、マスタ側端末４は、マスタ側表示部１０と、マスタ側操作部１２を有する。
マスタ側表示部１０は、例えば、ディスプレイにより形成し、ナビ本体部８から入力されたマスタ側表示情報信号（後述）に基づく画像を表示する。
また、マスタ側表示部１０は、例えば、インストルメントパネル等、車両の運転席に着座した運転者が視認可能な位置に配置する。
【００１２】
マスタ側操作部１２は、例えば、ディスプレイが有するタッチパネル機能により形成する。また、マスタ側操作部１２は、運転者によるタッチパネルの操作が行なわれると、操作内容に応じた情報信号（以降の説明では、「マスタ側操作情報信号」と記載する場合がある）を、ナビ本体部８へ出力する。ここで、運転者によるマスタ側操作部１２の操作とは、マスタ側表示部１０に表示する画像に対する指示操作であり、例えば、「目的地設定」、「目的地登録」、「ルート確認」、「ＤＶＤ再生」等である。
【００１３】
また、マスタ側操作部１２は、例えば、インストルメントパネル等、車両の運転席に着座した運転者の手動による操作が可能な位置に配置する。
なお、マスタ側操作部１２は、タッチパネル機能に限定するものではなく、例えば、運転者が操作可能なリモコンと、運転者によるリモコンの操作入力を検出可能なリモコン操作入力検出部により形成してもよい。
スレーブ側端末６は、マスタ側端末４と同様、例えば、タッチパネル機能を有するディスプレイを用いて形成する。なお、本実施形態では、スレーブ側端末６を、マスタ側端末４と同様、車載機器により構成する。
【００１４】
また、スレーブ側端末６は、スレーブ側表示部１４と、スレーブ側操作部１６を有する。
スレーブ側表示部１４は、例えば、ディスプレイにより形成し、ナビ本体部８から入力を受けたスレーブ側表示情報信号（後述）に基づく画像を表示する。
また、スレーブ側表示部１４は、例えば、運転席や助手席の背面側（例えば、ヘッドレストの背面）等、車両の後席に着座した後席同乗者が視認可能な位置に配置する。
【００１５】
スレーブ側操作部１６は、例えば、ディスプレイが有するタッチパネル機能により形成する。また、スレーブ側操作部１６は、後席同乗者によるタッチパネルの操作が行なわれると、操作内容に応じた情報信号（以降の説明では、「スレーブ側操作情報信号」と記載する場合がある）を、ナビ本体部８へ出力する。ここで、後席同乗者によるスレーブ側操作部１６の操作とは、スレーブ側表示部１４に表示する画像に対する指示操作であり、例えば、例えば、「ＤＶＤ再生」、「目的地設定」、「目的地登録」、「ルート確認」等である。
【００１６】
また、スレーブ側操作部１６は、例えば、運転席や助手席の背面側等、車両の後席に着座した後席同乗者の手動による操作が可能な位置に配置する。
なお、スレーブ側操作部１６は、マスタ側操作部１２と同様、タッチパネル機能に限定するものではなく、例えば、後席同乗者が操作可能なリモコンと、リモコンの操作入力を検出する検出部により形成してもよい。また、スレーブ側操作部１６を形成するリモコンとマスタ側操作部１２を形成するリモコンとを、共用のものとしてもよい。
【００１７】
ナビ本体部８は、車速検出部２から車速信号の入力を受ける。また、ナビ本体部８は、マスタ側表示部１０との間で、マスタ側表示情報信号及びマスタ側操作情報信号の入出力を行なう。これに加え、ナビ本体部８は、スレーブ側表示部１４との間で、スレーブ側表示情報信号及びスレーブ側操作情報信号の入出力を行なう。
また、ナビ本体部８は、マスタ側操作内容判定部１８と、スレーブ側操作内容判定部２０と、マスタ操作判定部２２と、車速判定部２４を備える。これに加え、ナビ本体部８は、メニュー走行中操作判定部２６と、スレーブ表示状態判定部２８と、画像情報出力部３０と、表示処理部３２を備える。
【００１８】
マスタ側操作内容判定部１８は、マスタ側操作情報信号の入力を受け、マスタ側操作部１２の操作を検出し、この検出した操作の内容であるマスタ側操作内容を判定する。そして、判定したマスタ側操作内容を含む情報信号（以降の説明では、「マスタ側操作内容信号」と記載する場合がある）を、マスタ操作判定部２２及び画像情報出力部３０へ出力する。
スレーブ側操作内容判定部２０は、スレーブ側操作情報信号の入力を受け、スレーブ側操作部１６の操作を検出し、この検出した操作の内容であるスレーブ側操作内容を判定する。そして、検出したスレーブ側操作内容を含む情報信号（以降の説明では、「スレーブ側操作内容信号」と記載する場合がある）を、画像情報出力部３０へ出力する。
【００１９】
マスタ操作判定部２２は、マスタ側操作内容判定部１８から入力を受けたマスタ側操作内容信号に基づき、マスタ側操作部１２が操作されたか否かを判定する。そして、マスタ側操作部１２が操作されたか否かの判定結果を含む情報信号（以降の説明では、「マスタ操作判定結果信号」と記載する場合がある）を、メニュー走行中操作判定部２６、スレーブ表示状態判定部２８及び表示処理部３２へ出力する。なお、本実施形態では、マスタ側操作部１２を、車両の運転席に着座した運転者の手動による操作が可能な位置に配置しているため、マスタ操作判定部２２が、運転者によりマスタ側操作部１２が操作されたか否かを判定する場合を説明する。
【００２０】
車速判定部２４は、車速検出部２から入力を受けた車速信号に基づき、車速検出部２が検出した車速と予め設定した車速ガイドラインを比較する。そして、車速検出部２が検出した車速が、車速ガイドラインを超えているか否かの判定結果を含む情報信号（以降の説明では、「車速判定結果信号」と記載する場合がある）を、メニュー走行中操作判定部２６及び表示処理部３２へ出力する。
【００２１】
ここで、車速ガイドラインとは、例えば、車両が走行する国別に予め設定した車速であり、マスタ側操作部１２で操作可能なメニューの種類を規制するための閾値である。また、車速ガイドラインは、ナビ本体部８が有する記憶領域・記憶媒体等（図示せず）に、予め記憶しておく。
なお、本実施形態では、一例として、車速ガイドラインを、０［ｋｍ／ｈ］とした場合について説明する。すなわち、本実施形態では、一例として、車両が走行している場合、車速検出部２が検出した車速が車速ガイドラインを超えていると判定する場合について説明する。
【００２２】
メニュー走行中操作判定部２６は、マスタ側表示情報信号を参照し、マスタ側表示情報信号が含む画像が、複数の操作対象メニューから少なくとも一つのメニューを選択する画像（五十音図等）であるか否かを判定する。これに加え、車速判定部２４から入力を受けた車速判定結果信号に基づき、車速検出部２が検出した車速が、車速ガイドラインを超えているか否かの判定結果を参照する。なお、以降の説明では、複数の操作対象メニューから少なくとも一つのメニューを選択する画像を、「メニュー選択画像」と記載する場合がある。
【００２３】
そして、メニュー走行中操作判定部２６は、マスタ側表示情報信号が含む画像がメニュー選択画像であり、且つ車速検出部２が検出した車速が車速ガイドラインを超えている場合、メニュー選択画像に対する処理を設定する。さらに、メニュー選択画像に対する処理内容を含む情報信号（以降の説明では、「走行中メニュー表示処理信号」と記載する場合がある）を、画像情報出力部３０及び表示処理部３２へ出力する。
【００２４】
上記の処理は、例えば、マスタ側表示情報信号が含む画像が、文字入力用のメニュー画像（五十音図の画像）である場合に、マスタ側表示部１０に表示した全ての操作対象メニューに対し、車両の乗員による操作を受け付けない状態とする処理である。
ここで、マスタ側表示部１０に表示した全ての操作対象メニューに対し、車両の乗員による操作を受け付けない状態とは、例えば、マスタ側操作部１２から入力を受けたマスタ側操作情報信号を参照しない処理を行う状態である。これに加え、マスタ側表示部１０に表示した全ての操作対象メニューを灰色（グレー）で表示する処理を行う状態である。
【００２５】
スレーブ表示状態判定部２８は、マスタ操作判定部２２からマスタ操作判定結果信号の入力を受け、画像情報出力部３０からスレーブ側表示情報信号の入力を受ける。そして、マスタ操作判定結果信号及びスレーブ側表示情報信号に基づき、スレーブ側表示部１４に表示する画像の一部に、マスタ側操作情報信号に応じた画像を表示（以降の説明では、「割り込み表示」と記載する場合がある）させるか否かの判定を行なう。さらに、上記の割り込み表示を実施するか否かの判定結果を含む情報信号（以降の説明では、「割り込み表示判定信号」と記載する場合がある）を、表示処理部３２へ出力する。
【００２６】
画像情報出力部３０は、マスタ側操作内容信号と、スレーブ側操作内容信号と、後述する割り込み表示指令信号の入力を受ける。そして、入力を受けた各種情報信号に基づき、マスタ側表示情報信号及びスレーブ側表示情報信号のうち少なくとも一方を生成する。さらに、生成したマスタ側表示情報信号をマスタ側表示部１０へ出力し、生成したスレーブ側表示情報信号をスレーブ側表示部１４及び表示処理部３２へ出力する。
ここで、マスタ側表示情報信号は、マスタ側表示部１０に表示する画像を含む情報信号である。一方、スレーブ側表示情報信号は、スレーブ側表示部１４に表示する画像を含む情報信号である。
【００２７】
以下、画像情報出力部３０が、マスタ側表示情報信号及びスレーブ側表示情報信号を生成する際に行なう処理の例として、（Ｐ１）から（Ｐ９）の処理を説明する。なお、画像情報出力部３０が行なう処理は、以下に示す（Ｐ１）から（Ｐ９）の処理に限定するものではない。
（Ｐ１）．車両のエンジン始動時において、カーナビゲーションに固有のタイトル画像（製造メーカー名等）を含む情報信号を生成する処理を行う。なお、（Ｐ１）の処理で生成する情報信号は、マスタ側表示情報信号及びスレーブ側表示情報信号のうち少なくとも一方である。
【００２８】
（Ｐ２）．上記（Ｐ１）の処理を行い、予め設定した時間（例えば、５秒）が経過した後、地図上に車両の位置及び前進方向を示す図形を重畳した画像を含む情報信号として生成する処理を行う。なお、上記の地図とは、例えば、車両の現在地を中心とした周辺の領域を、予め設定した縮尺で表す俯瞰地図である。また、（Ｐ２）の処理で生成する情報信号は、マスタ側表示情報信号及びスレーブ側表示情報信号のうち少なくとも一方である。
【００２９】
（Ｐ３）．目的地への経路を設定する際に、目的地の名称等を入力するための文字入力用のメニュー画像や、予め登録している場所等を選択するための目的地設定メニュー画像を含む情報信号を生成する処理を行う。この処理は、例えば、マスタ側操作内容判定部１８から入力を受けたマスタ側操作内容信号が、マスタ側表示部１０に表示した複数のメニューのうち、目的地への経路案内表示を示すメニューを選択した操作を示す情報信号である場合に行なう。なお、文字入力用のメニュー画像とは、例えば、五十音図の画像である。また、目的地設定メニュー画像とは、例えば、「自宅」や「登録地」等、複数の選択領域を示す画像である。
【００３０】
（Ｐ４）．現在地から目的地までの経路設定を行った後、地図上に、車両の位置及び前進方向を示す図形と、車両の現在位置から目的地までの経路を示す案内線を重畳した画像を含む情報信号として生成する処理を行う。なお、（Ｐ４）の処理で生成する情報信号は、マスタ側表示情報信号及びスレーブ側表示情報信号のうち少なくとも一方である。
【００３１】
（Ｐ５）．メニュー走行中操作判定部２６から走行中メニュー表示処理信号の入力を受けた際に、マスタ側表示情報信号を、運転者によるメニューを選択する操作を受け付けない状態とした画像を含む情報信号として生成する処理を行う。
すなわち、画像情報出力部３０は、車両が走行していると判定すると、マスタ側表示部１０に表示した複数の操作メニューを、運転者による操作を受け付けない状態としたマスタ側表示情報信号を出力する。なお、車両が走行しているとの判定は、車速検出部２が検出した車速が車速ガイドラインを超えている判定と同意である。
【００３２】
（Ｐ６）．スレーブ側表示情報信号を、ＤＶＤ（Ｄｉｇｉｔａｌ  Ｖｅｒｓａｔｉｌｅ  Ｄｉｓｃ）等の媒体に収録した画像を含む情報信号として生成する処理を行う。
（Ｐ７）．スレーブ側表示情報信号を、音質設定メニュー画像を含む情報信号として生成する処理を行う。ここで、音質設定メニュー画像とは、ＤＶＤ等の媒体に収録した画像の再生時や、ＣＤ等の媒体に収録した音声の再生時や、ラジオの聴取時、テレビの視聴時等に出力する音声の音質を設定するための選択メニューを含む画像である。
【００３３】
（Ｐ８）．割り込み表示指令信号の入力を受けた際に、スレーブ側表示情報信号を、スレーブ側表示部１４に表示する画像の一部に、マスタ側操作情報信号に応じた画像を割り込み表示させた画像を含む情報信号として生成する処理を行う。なお、上記の割り込み表示とは、例えば、スレーブ側表示部１４に表示する画像の一部に、マスタ側操作情報信号に応じた画像を重畳させる表示である。
ここで、スレーブ側表示部１４に表示する画像の一部に割り込み表示させる画像としては、マスタ側表示部１０に表示する画像をそのまま用いてもよく、また、マスタ側表示部１０に表示する画像の一部のみを用いてもよい。なお、スレーブ側表示部１４に表示する画像の一部に割り込み表示させる画像として、マスタ側表示部１０に表示する画像の一部のみを用いる場合、割り込み表示させる画像をスクロールさせるための操作領域（スクロールバー等）を表示してもよい。
【００３４】
（Ｐ９）．上記（Ｐ８）の処理を行った後、スレーブ側表示情報信号を、スレーブ側表示部１４に、（Ｐ８）の処理を行った時点のスレーブ側操作情報信号に応じた画像を表示させた画像を含む情報信号として生成する処理を行う。この処理は、上記（Ｐ８）の処理を行った後に入力を受けたスレーブ側操作内容信号が、上記の割り込み表示させた画像を後席同乗者が選択（タッチ、リモコン操作）した内容を含む場合に行なう。
ここで、（Ｐ８）の処理を行った時点のスレーブ側操作内容信号に応じた画像を表示させた画像としては、（Ｐ８）の処理で割り込み表示させた画像を、そのまま、スレーブ側表示部１４の表示領域に応じて拡大した画像を用いてもよい。
【００３５】
また、（Ｐ８）の処理を行った時点のスレーブ側操作内容信号に応じた画像を表示させた画像としては、（Ｐ８）の処理で割り込み表示させた画像が目的地設定メニュー画像である場合、後席同乗者が選択した内容に応じた画像を用いてもよい。ここで、後席同乗者が選択した内容に応じた画像としては、後席同乗者が、例えば、目的地設定メニュー画像が有する複数の選択領域から「登録地」の領域を選択した場合、予め登録した複数個所の登録地を列挙した選択メニューの画像を用いる。
【００３６】
以上により、画像情報出力部３０は、マスタ側操作内容及びスレーブ側操作内容のうち少なくとも一方に基づき、マスタ側表示情報信号及びスレーブ側表示情報信号のうち少なくとも一方を出力する。
表示処理部３２は、マスタ側表示情報信号と、スレーブ側表示情報信号と、マスタ側操作内容信号と、走行中メニュー表示処理信号と、割り込み表示判定信号の入力を受ける。
【００３７】
さらに、表示処理部３２は、入力を受けたマスタ側表示情報信号と、スレーブ側表示情報信号と、マスタ側操作内容信号と、走行中メニュー表示処理信号及び割り込み表示判定信号を参照して、割り込み表示の指令信号を生成する。なお、割り込み表示とは、スレーブ側表示部１４における画像の表示を継続させた状態で、運転者が選択した操作メニューに関連する関連メニューの少なくとも一部を、スレーブ側表示部１４の一部に割り込ませる表示である。また、関連メニューには、例えば、運転者が選択した操作メニューの下層の選択肢を示すメニューや、運転者が選択した操作メニューと同一のメニューを含む。
【００３８】
具体的には、マスタ側表示情報信号が、マスタ側表示部に複数の操作メニューを表示させた画像を含む。これに加え、マスタ側操作内容信号が、マスタ側表示部に表示した複数の操作メニューから少なくとも一つを選択した操作内容を含む場合、割り込み表示の指令信号を生成する。
また、表示処理部３２は、運転者による操作を受け付けない状態とした複数の操作メニューの少なくとも一部を、スレーブ側表示部１４の一部に表示する割り込み表示の指令信号を生成する。この処理は、マスタ側表示情報信号が、マスタ側表示部１０に表示した複数の操作メニューを運転者による操作を受け付けない状態とした画像を含む場合に行なう。
【００３９】
また、表示処理部３２は、スレーブ側表示部１４に表示させた複数の操作メニューの一部を示す画像の表示を継続させた状態で、関連メニューの一部を示す画像をスレーブ側表示部１４の一部に表示する割り込み表示の指令信号を生成する。この処理は、画像情報出力部３０が、スレーブ側表示部１４に複数の操作メニューを表示させるスレーブ側表示情報信号を出力する場合に行なう。
【００４０】
また、表示処理部３２は、スレーブ側表示部１４に表示させた複数の操作メニューの一部を示す画像の表示を継続させた状態で、関連メニューを縮小した画像をスレーブ側表示部１４の一部に表示する割り込み表示の指令信号を生成する。この処理は、画像情報出力部３０が、スレーブ側表示部１４に選択肢を設定しない画像を表示させるスレーブ側表示情報信号を出力する場合に行なう。なお、選択肢を設定しない画像とは、例えば、ＤＶＤの再生画面である。
【００４１】
そして、表示処理部３２は、上記の指令を含む情報信号（以降の説明では、「割り込み表示指令信号」と記載する場合がある）を、画像情報出力部３０へ出力する。
以上により、表示処理部３２は、運転者が選択した操作メニューに関連する関連メニューの少なくとも一部を、スレーブ側表示部１４における画像の表示を継続させた状態で、スレーブ側表示部１４の一部に割り込ませて表示する処理を行う。この割り込ませて表示する処理は、以下の条件（１）及び条件（２）が成立すると行なう。
【００４２】
条件（１）．画像情報出力部３０がマスタ側表示部１０に複数の操作メニューを表示させるマスタ側表示情報信号を出力する。
条件（２）．マスタ側操作内容判定部１８がマスタ側表示部１０に表示した複数の操作メニューから少なくとも一つを選択したマスタ側操作内容を判定する。
また、表示処理部３２は、画像情報出力部３０が出力したスレーブ側表示情報信号に応じて、関連メニューを示す画像のスレーブ側表示部１４の一部への表示方法を変更する。
【００４３】
（割り込み表示に関する処理）
次に、図１を参照しつつ、図２及び図３を用いて、割り込み表示に関する処理の一例を説明する。
まず、図２を用いて、車速検出部２で検出した車速を参照せずに行なう割り込み表示に関する処理を説明する。なお、図２は、車速検出部２で検出した車速を参照せずに行なう割り込み表示に関する処理の一例を行う際のフローチャートである。
【００４４】
図２に示すように、車速を参照せずに行なう割り込み表示に関する処理を開始（ＳＴＡＲＴ）すると、まず、ステップＳ１０において、マスタ操作判定部２２が、マスタ側操作内容判定部１８から入力を受けたマスタ側操作内容信号を参照する。そして、参照したマスタ側操作内容信号に基づき、運転者によりマスタ側操作部１２が操作されたと判定すると、車速を参照せずに行なう割り込み表示に関する処理は、ステップＳ１２へ移行する。すなわち、ステップＳ１０では、運転者による、マスタ側表示部１０に表示したメニューの操作を検出（図中に示す「マスタにおけるメニュー操作を検出」）する。
【００４５】
ステップＳ１２では、スレーブ表示状態判定部２８が、画像情報出力部３０から入力を受けたスレーブ側表示情報信号に基づき、スレーブ側表示部１４における画像の表示状態を判定（図中に示す「スレーブの表示状態を判定」）する。ステップＳ１２において、スレーブ側表示部１４における画像の表示状態を判定すると、車速を参照せずに行なう割り込み表示に関する処理は、ステップＳ１４へ移行する。
【００４６】
ステップＳ１４では、表示処理部３２が、スレーブ表示状態判定部２８から入力を受けた割り込み表示判定信号に基づき、割り込み表示指令信号を生成して、画像情報出力部３０へ出力する。そして、割り込み表示指令信号の入力を受けた画像情報出力部３０は、上記（Ｐ８）の処理を行い、スレーブ側表示部１４に表示する画像に割り込み表示を実施（図中に示す「適切な割り込み表示を実施」）する。
ステップＳ１４において、スレーブ側表示部１４に表示する画像に割り込み表示を実施すると、車速を参照せずに行なう割り込み表示に関する処理を終了（ＥＮＤ）する。
【００４７】
次に、図３を用いて、車速検出部２で検出した車速を参照して行なう割り込み表示に関する処理を説明する。なお、図３は、車速検出部２で検出した車速を参照して行なう割り込み表示に関する処理の一例を行う際のフローチャートである。
図３に示すように、車速を参照して行なう割り込み表示に関する処理を開始（ＳＴＡＲＴ）すると、まず、ステップＳ２０において、車速判定部２４が、車速検出部２が検出した車速と車速ガイドラインを比較する。そして、車速検出部２が検出した車速が、車速ガイドラインを超えていると判定すると、車速を参照して行なう割り込み表示に関する処理は、ステップＳ２２へ移行する。すなわち、ステップＳ２０において、車速ガイドライン（規定値）を超えた車速に応じた速度パルスを取得（図中に示す「規定値以上の速度パルスを取得」）すると、車速を参照して行なう割り込み表示に関する処理は、ステップＳ２２へ移行する。
【００４８】
ステップＳ２２では、マスタ操作判定部２２により、運転者によりマスタ側操作部１２が操作されたか否かを判定（図中に示す「マスタで操作中？」）する。
ステップＳ２２において、運転者によりマスタ側操作部１２が操作された（図中に示す「Ｙｅｓ」）と判定した場合、車速を参照して行なう割り込み表示に関する処理は、ステップＳ２４へ移行する。
【００４９】
一方、ステップＳ２２において、運転者によりマスタ側操作部１２が操作されていない（図中に示す「Ｎｏ」）と判定した場合、車速を参照して行なう割り込み表示に関する処理は、ステップＳ２２の処理を繰り返す。
ステップＳ２４では、メニュー走行中操作判定部２６により、マスタ側表示情報信号が含む画像がメニュー選択画像であるか否かを判定する。これにより、ステップＳ２４では、運転者がメニュー選択画像で操作したメニューが、走行中の操作が不可能なメニューであるか否かを判定（図中に示す「操作中のメニューは走行中に操作不可？」）する。
【００５０】
ステップＳ２４において、運転者がメニュー選択画像で操作したメニューが、走行中の操作が不可能なメニューである（図中に示す「Ｙｅｓ」）と判定した場合、車速を参照して行なう割り込み表示に関する処理は、ステップＳ２６へ移行する。ここで、ステップＳ２４において、運転者がメニュー選択画像で操作したメニューが、走行中の操作が不可能なメニューであると判定した場合、メニュー走行中操作判定部２６は、走行中メニュー表示処理信号を表示処理部３２へ出力する。なお、走行中の操作が不可能なメニューとは、例えば、タッチパネルの操作により領域の選択を要するメニューである。
【００５１】
一方、ステップＳ２４において、運転者がメニュー選択画像で操作したメニューが、走行中の操作が可能なメニューである（図中に示す「Ｎｏ」）と判定した場合、車速を参照して行なう割り込み表示に関する処理は、ステップＳ２４の処理を繰り返す。
ステップＳ２６では、スレーブ表示状態判定部２８が、画像情報出力部３０から入力を受けたスレーブ側表示情報信号に基づき、スレーブ側表示部１４における画像の表示状態を判定（図中に示す「スレーブの表示状態を判定」）する。ステップＳ２６において、スレーブ側表示部１４における画像の表示状態を判定すると、車速を参照して行なう割り込み表示に関する処理は、ステップＳ２８へ移行する。
【００５２】
ここで、ステップＳ２６で行なう、スレーブ側表示部１４における画像の表示状態を判定する処理とは、スレーブ側表示部１４に表示している画像に対する割り込み処理の内容を選択するために行なう処理である。具体的には、上記（Ｐ８）の処理を行う際に、割り込み表示させる画像として、マスタ側表示部１０に表示する画像をそのまま用いるか、または、マスタ側表示部１０に表示する画像の一部のみを用いるかを選択するために行なう処理である。また、割り込み表示させる画像は、スレーブ側表示部１４に表示している画像に応じて選択する。
【００５３】
ステップＳ２８では、表示処理部３２が、スレーブ表示状態判定部２８から入力を受けた割り込み表示判定信号に基づき、割り込み表示指令信号を生成して、画像情報出力部３０へ出力する。そして、割り込み表示指令信号の入力を受けた画像情報出力部３０は、上記（Ｐ８）の処理を行い、スレーブ側表示部１４に表示する画像に割り込み表示を実施（図中に示す「適切な割り込み表示を実施」）する。
ここで、ステップＳ２８で実施する割り込み表示は、ステップＳ２６における判定結果（スレーブ側表示部１４における画像の表示状態の判定）に基づいて行なう。
ステップＳ２８において、スレーブ側表示部１４に表示する画像に割り込み表示を実施すると、車速を参照して行なう割り込み表示に関する処理を終了（ＥＮＤ）する。
【００５４】
（動作）
次に、図１から図３を参照しつつ、図４及び図５を用いて、本実施形態の車両用走行支援情報表示装置１を用いて行なう動作の一例を説明する。
まず、図４を用いて、車両用走行支援情報表示装置１を用いて行なう動作のうち、車速を参照せずに割り込み表示を行なう動作を説明する。
車両のエンジン始動等により、車両用走行支援情報表示装置１を起動させると、画像情報出力部３０が、上述した（Ｐ１）の処理を行い、マスタ側表示情報信号及びスレーブ側表示情報信号を生成する。そして、生成したマスタ側表示情報信号をマスタ側表示部１０へ出力し、生成したスレーブ側表示情報信号をスレーブ側表示部１４へ出力する。
【００５５】
（Ｐ１）の処理で生成したマスタ側表示情報信号の入力を受けたマスタ側表示部１０は、カーナビゲーションに固有のタイトル画像を表示する。同様に、（Ｐ１）の処理で生成したスレーブ側表示情報信号の入力を受けたスレーブ側表示部１４は、カーナビゲーションに固有のタイトル画像を表示する。なお、（Ｐ１）の処理で生成したマスタ側表示情報信号の入力を受けたマスタ側表示部１０の図示と、（Ｐ１）の処理で生成したスレーブ側表示情報信号の入力を受けたスレーブ側表示部１４の図示は省略する。
【００５６】
（Ｐ１）の処理を行い、予め設定した時間が経過した後、画像情報出力部３０は、上述した（Ｐ２）の処理を行い、マスタ側表示情報信号を生成する。そして、生成したマスタ側表示情報信号を、マスタ側表示部１０へ出力する。
（Ｐ２）の処理で生成したマスタ側表示情報信号の入力を受けたマスタ側表示部１０は、例えば、図４（ａ）中に示すように、地図上に車両の位置及び前進方向を示す図形ＤＣを重畳した画像を表示する。なお、図４は、車速を参照せずに割り込み表示を行なう際の、画面遷移イメージの具体例を示す図である。また、図４（ａ）中に示すマスタ側表示部１０では、説明のために、地図の図示を省略している。
【００５７】
また、（Ｐ１）の処理を行った後、スレーブ側操作部１６が、後席同乗者による音質設定メニューを選択した操作を含むスレーブ側表示情報信号を出力すると、画像情報出力部３０は、上述した（Ｐ７）の処理を行い、スレーブ側表示情報信号を生成する。そして、画像情報出力部３０は、生成したスレーブ側表示情報信号をスレーブ側表示部１４へ出力する。なお、音質設定メニューを選択する操作とは、例えば、ＤＶＤ等の再生に関する複数のメニュー（「音質設定」に加え、「再生」、「画質設定」等）を示す領域から、「音質設定」を示す領域を選択する操作である。
【００５８】
（Ｐ７）の処理で生成したスレーブ側表示情報信号の入力を受けたスレーブ側表示部１４は、例えば、図４（ａ）中に示すように、音質設定メニュー画像を表示する。なお、図４（ａ）中に示すスレーブ側表示部１４には、音質設定メニューの表題を「ＤＶＤ音質設定」と示す。また、図４（ａ）中に示すスレーブ側表示部１４には、音質設定メニューの選択肢の一部として、「ＢＡＳＳ」等に対応する領域と、スレーブ側表示部１４中に表示される選択肢をスクロールさせるための操作領域（スクロールバー）を示す。
【００５９】
車両の駐車時や停車時等に、マスタ側操作部１２が、運転者による目的地設定メニューを選択した操作を含むマスタ側表示情報信号を出力すると、画像情報出力部３０は、上述した（Ｐ３）の処理を行い、マスタ側表示情報信号を生成する。そして、生成したマスタ側表示情報信号を、マスタ側表示部１０へ出力する。なお、目的地設定メニューを選択する操作とは、例えば、カーナビゲーションのメインメニュー（「目的地設定」に加え、「目的地登録」、「ルート確認」等）を示す領域から、「目的地設定」を示す領域を選択する操作である。
【００６０】
（Ｐ３）の処理で生成したマスタ側表示情報信号の入力を受けたマスタ側表示部１０は、例えば、図４（ｂ）中に示すように、メインメニューに関連する関連メニューの画像である目的地設定メニュー画像を表示する。なお、図４（ｂ）は、図４（ａ）中に示す画像よりも後の時点で表示する画像を示す。また、図４（ｂ）中に示すマスタ側表示部１０には、目的地設定メニューの表題を「目的地設定」と示す。また、図４（ｂ）中に示すマスタ側表示部１０には、目的地設定メニューの選択肢として、「自宅に帰る」等を示す。
【００６１】
また、マスタ側操作部１２が、運転者による目的地設定メニューを選択した操作を含むマスタ側表示情報信号を出力すると、画像情報出力部３０は、上述した（Ｐ８）の処理を行い、スレーブ側表示情報信号を生成する。そして、生成したスレーブ側表示情報信号を、スレーブ側表示部１４へ出力する。
（Ｐ８）の処理で生成したスレーブ側表示情報信号の入力を受けたスレーブ側表示部１４は、例えば、図４（ｂ）中に示すように、表示する画像の一部に、マスタ側操作情報信号に応じた画像を割り込み表示させる。
【００６２】
図４（ｂ）中に示す例では、（Ｐ８）の処理で生成したスレーブ側表示情報信号の入力を受けたスレーブ側表示部１４が、音質設定メニューの選択肢の一部及び操作領域を示す画像に加え、目的地設定メニューの選択肢の一部及び操作領域を示す画像を表示する。この場合、音質設定メニューの選択肢の一部及び操作領域を示す画像を表示する領域を、図４（ａ）中でスレーブ側表示部１４に表示した領域よりも小さい領域とする。これに加え、目的地設定メニューの選択肢の一部を示す画像を、図４（ｂ）中でマスタ側表示部１０に表示した目的地設定メニューの選択肢の一部（図中では、八項目の選択肢のうち、四項目の選択肢）とする。
【００６３】
次に、スレーブ側操作部１６が、後席同乗者による、目的地設定メニューの選択肢のうち一つを選択した操作を含むスレーブ側表示情報信号を出力すると、画像情報出力部３０は、上述した（Ｐ２）の処理を行い、マスタ側表示情報信号を生成する。そして、生成したマスタ側表示情報信号を、マスタ側表示部１０へ出力する。なお、以下の説明は、後席同乗者が目的地設定メニューの選択肢から選択した一つの選択肢を、「登録地から」とした場合について記載する。
（Ｐ２）の処理で生成したマスタ側表示情報信号の入力を受けたマスタ側表示部１０は、例えば、図４（ａ）中と同様、図４（ｃ）中に示すように、地図上に車両の位置及び前進方向を示す図形ＤＣを重畳した画像を表示する。なお、図４（ｃ）は、図４（ｂ）中に示す画像よりも後の時点で表示する画像を示す。
【００６４】
また、スレーブ側操作部１６が、後席同乗者による、目的地設定メニューの選択肢のうち一つを選択した操作を含むスレーブ側表示情報信号を出力すると、画像情報出力部３０は、上述した（Ｐ９）の処理を行い、スレーブ側表示情報信号を生成する。そして、生成したスレーブ側表示情報信号を、スレーブ側表示部１４へ出力する。
（Ｐ９）の処理で生成したスレーブ側表示情報信号の入力を受けたスレーブ側表示部１４は、例えば、図４（ｃ）中に示すように、後席同乗者が選択した選択肢に応じた画像を表示する。
【００６５】
図４（ｃ）中に示す例では、（Ｐ９）の処理で生成したスレーブ側表示情報信号の入力を受けたスレーブ側表示部１４が、（Ｐ８）の処理を行った時点のスレーブ側操作情報信号に応じた画像を表示する。この場合、（Ｐ８）の処理を行った時点のスレーブ側操作情報信号に応じた画像を表示させた画像として、図４（ｃ）中に示すように、予め登録した複数個所の登録地の一部（図中では、四箇所の登録地）を示す画像を表示する。なお、図４（ｃ）中に示すスレーブ側表示部１４には、登録地の選択メニューの表題を「目的地設定＞登録地から」と示す。
すなわち、図４（ｃ）中に示す例では、図４（ｂ）中に示す時点でマスタ側表示部１０に表示した目的地設定メニュー画像に対し、運転者が目的地設定メニュー画像の選択肢から一つを選択する操作を、後席同乗者が選択する操作として引き継ぐこととなる。
【００６６】
次に、スレーブ側操作部１６が、後席同乗者による、予め登録した複数個所の登録地から一つの登録地を選択した操作を含むスレーブ側表示情報信号を出力すると、画像情報出力部３０は、上述した（Ｐ４）の処理を行い、マスタ側表示情報信号を生成する。そして、生成したマスタ側表示情報信号を、マスタ側表示部１０へ出力する。
（Ｐ４）の処理で生成したマスタ側表示情報信号の入力を受けたマスタ側表示部１０は、地図上に車両の位置及び前進方向を示す図形と、車両の現在位置から目的地までの経路を示す案内線を重畳した画像を表示する。なお、（Ｐ４）の処理で生成したマスタ側表示情報信号の入力を受けたマスタ側表示部１０の図示は省略する。
【００６７】
また、スレーブ側操作部１６が、後席同乗者による一つの登録地を選択した操作を含むスレーブ側表示情報信号を出力すると、画像情報出力部３０は、上述した（Ｐ７）の処理を行い、スレーブ側表示情報信号を生成する。そして、生成したスレーブ側表示情報信号を、スレーブ側表示部１４へ出力する。
（Ｐ７）の処理で生成したスレーブ側表示情報信号の入力を受けたスレーブ側表示部１４は、音質設定メニュー画像を表示する（図４（ａ）参照）。すなわち、現在位置から目的地までの経路を設定した後は、スレーブ側表示部１４に表示する画像を、音質設定メニュー画像に戻す。
【００６８】
次に、図５を用いて、車両用走行支援情報表示装置１を用いて行なう動作のうち、車速を参照して割り込み表示を行なう動作を説明する。なお、上述した車速を参照せずに割り込み表示を行なう動作と同様の内容については、説明を省略する場合がある。
車両の駐車時や停車時等に、マスタ側操作部１２が、上述した文字入力用のメニュー画像を運転者が選択した操作を含むマスタ側表示情報信号を出力すると、画像情報出力部３０は、上述した（Ｐ３）の処理を行い、マスタ側表示情報信号を生成する。ここで、文字入力用のメニュー画像は、目的地設定メニューの選択肢から選択して表示する。
【００６９】
そして、画像情報出力部３０は、生成したマスタ側表示情報信号を、マスタ側表示部１０へ出力する。なお、以下の説明は、文字入力用のメニュー画像を、五十音図の画像とした場合について記載する。
（Ｐ３）の処理で生成したマスタ側表示情報信号の入力を受けたマスタ側表示部１０は、図５（ａ）中に示すように、五十音図の画像を表示する。なお、図５は、車速を参照して割り込み表示を行なう際の、画面遷移イメージの具体例を示す図である。また、図５（ａ）中に示すマスタ側表示部１０には、登録地の選択メニューの表題を「目的地設定＞５０音から」と示す。また、図５（ａ）中に示すマスタ側表示部１０には、目的地の名称を入力している状態を示す。また、図５（ａ）中には、車両が停車している状態のマスタ側表示部１０及びスレーブ側表示部１４を示す。
【００７０】
また、スレーブ側操作部１６が、後席同乗者によるＤＶＤの再生を選択する操作を含むスレーブ側表示情報信号を出力すると、画像情報出力部３０は、上述した（Ｐ６）の処理を行い、スレーブ側表示情報信号を生成する。そして、画像情報出力部３０は、生成したスレーブ側表示情報信号をスレーブ側表示部１４へ出力する。なお、ＤＶＤの再生を選択する操作とは、例えば、ＤＶＤ再生に関する複数のメニュー（上記を参照）を示す領域から、「再生」を示す領域を選択する操作である。
【００７１】
（Ｐ６）の処理で生成したスレーブ側表示情報信号の入力を受けたスレーブ側表示部１４は、例えば、図５（ａ）中に示すように、ＤＶＤの再生画像を表示する。なお、図５（ａ）中に示すスレーブ側表示部１４には、ＤＶＤの再生画像を「ＤＶＤ画面」と示す。
そして、車速判定部２４が、車速検出部２が検出した車速が車速ガイドラインを超えていると判定し、さらに、マスタ操作判定部２２が、運転者によりマスタ側操作部１２が操作されたと判定すると、メニュー走行中操作判定部２６による処理を行う。
【００７２】
ここで、メニュー走行中操作判定部２６による処理とは、マスタ側表示情報信号が含む画像がメニュー選択画像であるか否かを判定して、マスタ側表示部１０に表示している画像が、走行中の操作が不可能なメニューの画像であるか否かを判定する処理である。また、上述したように、（Ｐ３）の処理で生成したマスタ側表示情報信号の入力を受けたマスタ側表示部１０は、文字入力用のメニュー画像として、五十音図の画像を表示する。
【００７３】
したがって、メニュー走行中操作判定部２６は、マスタ側表示部１０に表示した五十音図に対し、車両の乗員（運転者）による操作を受け付けない状態とする処理内容を含む走行中メニュー表示処理信号を、画像情報出力部３０へ出力する。
走行中メニュー表示処理信号の入力を受けた画像情報出力部３０は、上述した（Ｐ５）の処理を行い、マスタ側表示情報信号を生成する。そして、画像情報出力部３０は、生成したマスタ側表示情報信号をマスタ側表示部１０へ出力する。
【００７４】
（Ｐ５）の処理で生成したマスタ側表示情報信号の入力を受けたマスタ側表示部１０は、図５（ｂ）中に示すように、マスタ側表示部１０に表示した全ての選択領域を灰色（グレー）で表示する。なお、図５（ｂ）は、図５（ａ）中に示す画像よりも後の時点で表示する画像であり、車速検出部２が検出した車速が車速ガイドラインを超えていると判定した状態における画像を示す。すなわち、図５（ｂ）中には、車両が走行している状態のマスタ側表示部１０及びスレーブ側表示部１４を示す。また、図５（ｂ）中に示すマスタ側表示部１０には、登録地の選択メニューの表題を「目的地設定＞５０音から」と示す。
【００７５】
また、走行中メニュー表示処理信号の入力を受けた画像情報出力部３０は、上述した（Ｐ８）の処理を行い、スレーブ側表示情報信号を生成する。そして、画像情報出力部３０は、生成したスレーブ側表示情報信号をスレーブ側表示部１４へ出力する。これにより、図５（ｂ）中に示すように、表示する画像の一部に、マスタ側操作情報信号に応じた画像を割り込み表示させる。
【００７６】
図５（ｂ）中に示す例では、（Ｐ８）の処理で生成したスレーブ側表示情報信号の入力を受けたスレーブ側表示部１４が、ＤＶＤの再生画像上に、マスタ側表示部１０に表示したものの縮小画像を重畳させた画像を表示する。すなわち、ＤＶＤの再生画像上に、運転者が選択した操作メニューに関連する五十音図の画像を割り込み表示させる。
次に、スレーブ側操作部１６が、後席同乗者による、マスタ側表示部１０に表示したものの縮小画像を選択した操作を含むスレーブ側表示情報信号を出力すると、画像情報出力部３０は、上述した（Ｐ２）の処理を行い、マスタ側表示情報信号を生成する。そして、生成したマスタ側表示情報信号を、マスタ側表示部１０へ出力する。
【００７７】
（Ｐ２）の処理で生成したマスタ側表示情報信号の入力を受けたマスタ側表示部１０は、例えば、図５（ｃ）中に示すように、地図上に車両の位置及び前進方向を示す図形ＤＣを重畳した画像を表示する。なお、図５（ｃ）は、図５（ｂ）中に示す画像よりも後の時点で表示する画像を示す。すなわち、図５（ｃ）中には、車両が走行している状態のマスタ側表示部１０及びスレーブ側表示部１４を示す。
また、スレーブ側操作部１６が、後席同乗者による、目的地設定メニューの選択肢のうち一つを選択した操作を含むスレーブ側表示情報信号を出力すると、画像情報出力部３０は、上述した（Ｐ９）の処理を行い、スレーブ側表示情報信号を生成する。そして、生成したスレーブ側表示情報信号を、スレーブ側表示部１４へ出力する。
【００７８】
（Ｐ９）の処理で生成したスレーブ側表示情報信号の入力を受けたスレーブ側表示部１４は、図５（ｃ）中に示すように、五十音図を、後席同乗者による操作を受け付け可能な状態で表示する。ここで、後席同乗者による操作を受け付け可能な状態で表示する五十音図は、運転者による操作を受け付けない状態としてマスタ側表示部１０に表示した五十音図である。なお、図５（ｃ）中に示すスレーブ側表示部１４には、登録地の選択メニューの表題を「目的地設定＞５０音から」と示す。
すなわち、図５（ｃ）中に示す例では、図５（ｂ）中に示す時点でマスタ側表示部１０に表示した五十音図の画像に対し、運転者が目的地の名称を入力する操作を、後席同乗者が選択する操作として引き継ぐこととなる。
【００７９】
次に、スレーブ側操作部１６が、後席同乗者による、五十音図を用いた目的地の名称入力を完了した操作を含むスレーブ側表示情報信号を出力すると、画像情報出力部３０は、上述した（Ｐ４）の処理を行い、マスタ側表示情報信号を生成する。そして、生成したマスタ側表示情報信号を、マスタ側表示部１０へ出力する。なお、五十音図を用いた目的地の名称入力を完了した操作とは、例えば、目的地の名称入力を終了した後に、五十音以外を示す領域から、「検索」を示す領域（図示せず）を選択する操作である。
【００８０】
（Ｐ４）の処理で生成したマスタ側表示情報信号の入力を受けたマスタ側表示部１０は、地図上に車両の位置及び前進方向を示す図形と、車両の現在位置から目的地までの経路を示す案内線を重畳した画像を表示する。なお、（Ｐ４）の処理で生成したマスタ側表示情報信号の入力を受けたマスタ側表示部１０の図示は省略する。
また、スレーブ側操作部１６が、後席同乗者による、五十音図を用いた目的地の名称入力を完了した操作を含むスレーブ側表示情報信号を出力すると、画像情報出力部３０は、上述した（Ｐ６）の処理を行い、スレーブ側表示情報信号を生成する。そして、生成したスレーブ側表示情報信号を、スレーブ側表示部１４へ出力する。
【００８１】
（Ｐ６）の処理で生成したスレーブ側表示情報信号の入力を受けたスレーブ側表示部１４は、ＤＶＤの再生画像を表示する（図５（ａ）参照）。すなわち、現在位置から目的地までの経路を設定した後は、スレーブ側表示部１４に表示する画像を、ＤＶＤの再生画像に戻す。
なお、上述した車速検出部２及び車速判定部２４は、車両が走行しているか否かを判定する走行状態判定部に対応する。
【００８２】
（第一実施形態の効果）
本実施形態の車両用走行支援情報表示装置１であれば、以下に記載する効果を奏することが可能となる。
（１）表示処理部３２が、運転者が選択した操作メニューに関連する関連メニューの少なくとも一部を、スレーブ側表示部１４における画像の表示を継続させた状態で、スレーブ側表示部１４の一部に表示する。この処理は、上述した条件（１）及び条件（２）が成立すると行なう。
このため、運転者が選択した操作メニューに関連する関連メニューの少なくとも一部を、スレーブ側表示部１４における画像の表示を継続させた状態で、スレーブ側表示部１４の一部に表示させることが可能となる。
【００８３】
その結果、マスタ側表示部１０に表示する画像に対する指示操作に対し、スレーブ側表示部１４に表示する画像に対する指示操作への反映度合いを向上させることが可能となる。これにより、運転者が操作メニューから選択した関連メニューに対して行なう操作内容に対し、後席同乗者が行なうカーナビゲーション（車載情報機器）の操作への反映度合いを向上させることが可能となる。
したがって、運転者が目的とする操作の内容を、運転者から口頭で聞く、または、後席同乗者が推測して行うことなく、運転者が行なっていた車載情報機器の操作内容を、後席同乗者が適切に引き継ぐことが可能となる。
【００８４】
（２）画像情報出力部３０が、走行状態判定部により車両が走行していると判定すると、マスタ側表示部１０に表示した複数の操作メニューを運転者による操作を受け付けない状態としたマスタ側表示情報信号を出力する。これに加え、表示処理部３２が、運転者による操作を受け付けない状態とした複数の操作メニューの少なくとも一部を、スレーブ側表示部１４の一部に表示する。
【００８５】
このため、車両が走行している状態では、車両の走行中に運転者が操作不可能な操作メニューのみを、スレーブ側表示部１４に表示させることが可能となる。すなわち、車両が走行している状態では、スレーブ側表示部１４に表示させる画像を、車両の走行中に運転者による操作が不可能な操作メニューの画像に絞り込むことが可能となる。
その結果、操作負荷の高い操作メニュー（例えば、目的地の名称入力）等、走行中の操作を規制する対象となる操作メニューの操作を、車両の走行中に、後席同乗者が運転者から引き継ぐことが可能となる。これにより、車両の走行中において、走行中の操作を規制する対象となる操作メニューの操作を、後席同乗者により継続・完了する機会を得ることが可能となる。
【００８６】
（３）表示処理部３２が、画像情報出力部３０が出力したスレーブ側表示情報信号に応じて、関連メニューを示す画像のスレーブ側表示部１４の一部への表示方法を変更する。
その結果、関連メニューの少なくとも一部をスレーブ側表示部１４の一部に表示する際に、既にスレーブ側表示部１４に表示している画像に応じて、関連メニューの少なくとも一部を表示することが可能となる。
【００８７】
（４）表示処理部３２が、画像情報出力部３０が、複数の操作メニューを表示させるスレーブ側表示情報信号をスレーブ側表示部１４に出力すると、関連メニューの一部を示す画像を、スレーブ側表示部１４の一部に表示する。
このため、スレーブ側表示部１４の一部に表示する関連メニューの一部を示す画像により、既にスレーブ側表示部１４に表示している複数の操作メニューの視認及び操作が阻害されることを抑制することが可能となる。
【００８８】
その結果、上述した割り込み表示を行なっても、割り込み表示を行なう前に後席同乗者が行なっていたスレーブ側操作部１６の操作が阻害されることを、抑制することが可能となる。これに加え、後席同乗者が、関連メニューに対する操作を運転者から引き継ぐか否かを選択する機会を得ることが可能となる。すなわち、後席同乗者が、関連メニューに対する操作を運転者から引き継ぐか否かを選択する余地を有することが可能となる。
【００８９】
（５）表示処理部３２が、画像情報出力部３０が、選択肢を設定しない画像を表示させるスレーブ側表示情報信号をスレーブ側表示部１４に出力すると、関連メニューを縮小した画像を、スレーブ側表示部１４の一部に表示する。
このため、スレーブ側表示部１４の一部に表示する関連メニューの一部を示す画像により、既にスレーブ側表示部１４に表示している選択肢を設定しない画像の視認が阻害されることを抑制することが可能となる。
その結果、上述した割り込み表示を行なっても、割り込み表示を行なう前にスレーブ側表示部１４に表示していた画像の後席同乗者による視認が、阻害されることを抑制することが可能となる。
【００９０】
（変形例）
（１）本実施形態では、スレーブ側端末６を、タッチパネル機能を有するディスプレイを用いて形成したが、スレーブ側端末６の構成は、これに限定するものではない。すなわち、スレーブ側端末６を、車両への持込及び車両からの持出しが可能な、移動通信端末を用いて形成してもよい。なお、移動通信端末とは、例えば、タッチパネル機能を有するディスプレイを備えた携帯電話（例えば、スマートフォン）や、タブレット端末、携帯情報端末（ＰＤＡ）、ノート型のパーソナルコンピュータ（ＰＣ）である。
この場合、スレーブ側端末６を、車載機器を用いることなく、ナビ本体部８と通信可能な電子機器を用いて構成することが可能となり、運転者に対して後部同乗者が行なう操作支援の機会を増加させることが可能となる。
【００９１】
（２）本実施形態では、車速検出部２及び車速判定部２４が、車両が走行しているか否かを判定する走行状態判定部に対応する構成としたが、これに限定するものではない。すなわち、例えば、車両の現在位置を検出する自車位置検出部と地図データを用い、地図上における自車位置の移動を検出すると、車両が走行していると判定する構成としてもよい。なお、自車位置検出部は、例えば、ＧＰＳ（Ｇｌｏｂａｌ  Ｐｏｓｉｔｉｏｎｉｎｇ  Ｓｙｓｔｅｍ）である。
（３）本実施形態では、車両の同乗者を、車両の後席に着座した後席同乗者としたが、これに限定するものではなく、車両の同乗者を、車両の助手席に着座した前席同乗者としてもよい。
【符号の説明】
【００９２】
１    車両用走行支援情報表示装置
２    車速検出部
４    マスタ側端末
６    スレーブ側端末
８    ナビ本体部
１０  マスタ側表示部
１２  マスタ側操作部
１４  スレーブ側表示部
１６  スレーブ側操作部
１８  マスタ側操作内容判定部
２０  スレーブ側操作内容判定部
２２  マスタ操作判定部
２４  車速判定部
２６  メニュー走行中操作判定部
２８  スレーブ表示状態判定部
３０  画像情報出力部
３２  表示処理部
ＤＣ  車両の位置及び前進方向を示す図形
【図１】
2014035289.tif 000003
【図２】
2014035289.tif 000004
【図３】
2014035289.tif 000005
【図４】
2014035289.tif 000006
【図５】
2014035289.tif 000007